(57)【特許請求の範囲】
【請求項１】
時計（１０）の読み取り及び認証のうちの少なくとも一方を行うための方法であって、前記時計（１０）が、ダイヤル（２０）と、前記時計に取り付けられるとともに上面と前記ダイヤルに対向する下面とを有する少なくとも１つの時計針（２５）と、前記少なくとも１つの時計針（２５）の前記下面に配置されるセキュリティ材料（３５）とを備え、
前記セキュリティ材料（３５）を励起させるために、所定の時間にわたって前記ダイヤル（２０）での反射により前記セキュリティ材料（３５）に励起光（２００，２０５）を照射するステップと、
前記励起光（２０５）によって生じる励起に応じて前記セキュリティ材料（３５）により放射される発光（３００）による発光（３０５）を測定するステップと、
を備える、方法。
【請求項２】
前記セキュリティ材料は、発光特性を有する１つ以上の化合物を含有する媒体を含む、請求項１に記載の方法。
【請求項３】
前記発光が少なくとも部分的に前記時計（１０）の前記ダイヤル（２０）によって反射される、請求項１または２に記載の方法。
【請求項４】
前記発光は、前記セキュリティ材料（３５）の１つ以上の減衰時間と前記発光の時間依存性とを決定するべく測定され、好ましくは、前記認証は、前記発光の時間依存性と、１つ以上の既知の基準減衰時間および１つ以上の発光時間依存性のうちの少なくとも一方とを比較するステップを更に備える、請求項１、２または３に記載の方法。
【請求項５】
前記セキュリティ材料（３５）の励起光が所定の波長範囲を有する、請求項１〜４のいずれか一項に記載の方法。
【請求項６】
前記所定の波長が約９２５〜９９０ｎｍであるか、又は、前記所定の波長が２００ｎｍ〜４００ｎｍである、請求項５に記載の方法。
【請求項７】
前記時計（１０）の真正および前記時計（１０）の非真正のうちの一方を示す信号を発するステップを更に備え、好ましくは、前記信号は、視覚信号および音響信号、警報、保留信号、アラーム、および、通知のうちの少なくとも１つを備える、請求項１〜６のいずれか一項に記載の方法。
【請求項８】
請求項１〜７のいずれか一項に記載の方法により時計（１０）の読み取りおよび認証のうちの少なくとも一方を行うためのシステム（４００）であって、
前記セキュリティ材料を励起させるために、所定の時間にわたって前記ダイヤルでの反射により前記セキュリティ材料（３５）に光を照射するための光源（４０５）と、
前記セキュリティ材料（３５）により放射される発光を測定するように構成される検出器（４１０）と、
を備える、システム（４００）。
【請求項９】
１つ以上の既知の基準減衰時間、および、
１つ以上の発光時間依存性
のうちの少なくとも一方と前記発光の時間依存性とを比較するように構成される比較器を更に備える、請求項８に記載のシステム（４００）。
【請求項１０】
コンピュータデバイスのプロセッサにより実行されると請求項１〜７のいずれか一項に記載の方法を前記プロセッサに実行させる命令を記憶するためのコンピュータ可読媒体（１９２５Ａ，１９２５Ｂ）。
【請求項１１】
時計（１０）であって、
ダイヤル（２０）と、
前記時計に取り付けられるとともに、上面と、前記ダイヤルと対向する下面とを有する、少なくとも１つの時計針（２５）と、
前記少なくとも１つの時計針の前記下面のみに配置され、前記上面から見えない発光セキュリティ材料（３５）と、
を備える、時計（１０）。
【請求項１２】
前記ダイヤル（２０）は、電磁スペクトルのＩＲ範囲内に反射特性を備え、好ましくは、前記ダイヤル（２０）の前記反射特性は、７５０ｎｍ〜１５００ｎｍの範囲の少なくとも一部に１０％を超える反射率を備える、請求項１１に記載の時計（１０）。
【請求項１３】
前記ダイヤル上に配置されて前記ダイヤルの反射率特性をＩＲ範囲内で高める更なる層を更に備える、請求項１１または１２に記載の時計。
【請求項１４】
前記ダイヤル上に配置される前記更なる層（５０５）は、インジウムスズ酸化物（ＩＴＯ）、干渉顔料、誘電体多層コーティング、コレステリック液晶顔料、および、コレステリック液晶コーティングのうちの１つ以上を備える、請求項１３に記載の時計（１０）。
【請求項１５】
前記更なる層（５０５）が肉眼で見えない、請求項１３または１４に記載の時計（１０）。
【請求項１６】
前記ダイヤル上に配置される前記更なる層（５０５）は、前記更なる層と前記セキュリティ材料との組み合わせを認証するために前記セキュリティ材料の特性と関連付けられる固有の反射率を有する、請求項１１〜１４のいずれか一項に記載の時計（１０）。
【発明の詳細な説明】
【技術分野】
【０００１】
[0001]本発明は、時計、特に腕時計の真正を確認するための方法およびシステムに関する。
【背景技術】
【０００２】
[0002]一般に偽物と呼ばれる一般消費者が買う偽造商品は、売るために提供される偽造品または模造品である。近年、偽造商品の広がりがグローバルになってきており、また、偽造に晒される商品の範囲がかなり増大してきた。
【０００３】
[0003]高価な腕時計（および、腕時計のスペアパーツ）は、偽造の対象になり易く、数十年にわたって偽造されてきた。偽造腕時計は、真正の腕時計の一部または全部の不当なコピーである。スイス・カスタムズ・サービスによる推定によれば、毎年、３千万〜４千万個の偽造腕時計が流通する。決まりきったように、ニューヨーク市を訪れる来訪者には、１ダースのそのような偽造腕時計を自分のコートの中に忍ばせた売人が路上で近づき、特価で勧められる。自動巻き機構と十分に作動する機構部分とを伴う極めて本物に見えるが非常に低品質な偽造腕時計が２０ドルの安さで売られている可能性がある。偽造品の品質が絶えず高まるに伴い、問題が益々深刻になってきている。例えば、一部の偽造材料は、非常に無難な品質を成しており、素人目には良好に見える場合があるとともに、数年にわたってうまく機能する場合があり、結果として、偽造団の中で競争が高まることが想定し得る。偽造腕時計は、毎年およそ１０億ドルの損害を腕時計業界にもたらす。
【０００４】
[0004]一般消費者が買う商品を偽造から保護するために使用されてきた真正確認の解決策は、しばしば、物品を特定の材料、コードでマークすること、あるいは、彫り込みをマークすることに基づく。しかしながら、これらの方法は、物体の性質および外観を変え、また、これは、しばしば、物体のデザインおよび物体の外観が最も重要である腕時計（および他の高級品）業界では許容できない。
【０００５】
[0005]偽造者は、しばしば、腕時計の外観に焦点を合わせて、より安価な部品を内側に組み込む。これは、潜在的購入者が時計の外観に更に焦点を合わせる傾向があるからである。したがって、時計の真正を評価する際には、可能な限り多くの情報を有することが望ましい。また、真正をチェックする際に時計を開放する必要がないことが望ましい。これは、その作業が特殊な機器および手法を必要とし、それにより、時計の性能および／または完全性（例えば、水密）に影響が及ぶ場合があるとともに、製造者の保証が無効になる場合があるからである。
【０００６】
[0006]したがって、時計を開放する必要なく非侵襲的で、かつ可能な限り信頼できる態様で時計の真正を確認できることが望ましい。
【発明の概要】
【発明が解決しようとする課題】
【０００７】
[0007]本発明の目的は、時計の真正を確認するための非侵襲的で信頼できる方法を提供することである。
【課題を解決するための手段】
【０００８】
[0008]この目的は、独立請求項の主題によって解決される。好ましい実施形態が従属請求項の主題である。
【０００９】
[0009]本発明の実施形態の態様は、時計であって、ダイヤルと、時計に取り付けられるとともに上面とダイヤルと対向する下面とを有する少なくとも１つの時計針と、少なくとも１つの時計針の下面に配置されるセキュリティ材料とを少なくとも含む時計に関する。幾つかの実施形態において、セキュリティ材料は、発光特性を有する１つ以上の化合物を含有する媒体を含む。これらの発光特性は、電磁スペクトルの赤外線（ＩＲ）範囲内にあってもよく、あるいは、電磁スペクトルの紫外線（ＵＶ）範囲（２００ｎｍ〜４００ｎｍ）内にあってもよい。
【００１０】
[0010]更なる実施形態では、セキュリティ材料が１つ以上の検出可能な減衰時間特性を有する。
【００１１】
[0011]更なる実施形態では、電磁スペクトルのＩＲ範囲が約７００〜１６００ｎｍである。
【００１２】
[0012]更なる実施形態では、電磁スペクトルのＩＲ範囲が約９００〜１１００ｎｍである。
【００１３】
[0013]更なる他の実施形態では、電磁スペクトルのＩＲ範囲が約９２５〜９９０ｎｍである。
【００１４】
[0014]更なる実施形態において、媒体は、複数の異なる減衰時間特性をそれぞれ有する複数の異なる化合物を含有する。
【００１５】
[0015]更なる実施形態において、媒体は、３つの異なる減衰時間特性を有する少なくとも３つの異なる化合物を含有する。
【００１６】
[0016]更なる他の実施形態において、１つ以上の化合物は、全組成に対して重量で１％〜２０％の濃度を有してセキュリティ材料中に存在する。
【００１７】
[0017]更なる他の実施形態において、１つ以上の化合物は、ランタニド誘導体のグループのうちの１つ以上から選択される。
【００１８】
[0018]更なる実施形態において、１つ以上の化合物は、Ｅｕ誘導体およびＴｂ誘導体のうちの１つ以上から選択される。
【００１９】
[0019]幾つかの実施形態では、誘導体が酸化イットリウムマトリックス中に含まれる。
【００２０】
[0020]更なる実施形態では、１つ以上の化合物の減衰時間が約５０μｓ〜１０ｍｓである。
【００２１】
[0021]更なる他の実施形態において、ダイヤルは、電磁スペクトルのＩＲ範囲内に反射特性を備える。
【００２２】
[0022]更なる他の実施形態において、反射特性は、７００ｎｍ〜１５００ｎｍの範囲に１０％を超える反射率を備える。
【００２３】
[0023]更なる実施形態では、ダイヤルの反射率特性をＩＲ範囲内で高める更なる層がダイヤル上に配置される。
【００２４】
[0024]更なる実施形態において、更なる層は、ＩＴＯ、干渉顔料、誘電体多層コーティング、コレステリック液晶顔料、および、コレステリック液晶コーティングのうちの１つ以上を備える。
【００２５】
[0025]更なる他の実施形態では、更なる層が肉眼で見えない。
【００２６】
[0026]更なる他の実施形態において、更なる層は、更なる層とセキュリティ材料との組み合わせを認証するためにセキュリティ材料の特性と関連付けられる固有の反射率を有する。
【００２７】
[0027]更なる実施形態において、ダイヤルは、該ダイヤルの反射率特性をＩＲ範囲内で高めるための材料を備える。
【００２８】
[0028]更なる実施形態において、セキュリティ材料は、励起光を受けると放射発光を生成するように構成され、ダイヤルの反射帯域は、少なくとも部分的に、励起光および放射発光の両方の波長域と重なり合う。
【００２９】
[0029]更なる他の実施形態において、少なくとも１つの時計針のうちの少なくとも１つは、励起光および放射発光の両方の波長域で完全に不透明である。
【００３０】
[0030]更なる他の実施形態において、少なくとも１つの時計針のうちの少なくとも１つは、励起光および放射発光の両方の波長域で部分的に透明または半透明である。
【００３１】
[0031]更なる実施形態では、少なくとも１つの時計針のうちの少なくとも１つが１つ以上の穴を有する。
【００３２】
[0032]本発明の実施形態の態様は、時計の読み取りおよび認証のうちの少なくとも一方を行うためのプロセスであって、時計が、ダイヤルと、時計に取り付けられるとともに上面とダイヤルに対向する下面とを有する少なくとも１つの時計針と、少なくとも１つの時計針の下面に配置されるセキュリティ材料とを備える、プロセスに関する。方法は、セキュリティ材料を励起させるために、所定の時間にわたってダイヤルでの反射によりセキュリティ材料に光を照射するステップと、セキュリティ材料により放射される発光を測定するステップとを備える。
【００３３】
[0033]実施形態において、セキュリティ材料は、発光特性を有する１つ以上の化合物を含有する媒体を含む。
【００３４】
[0034]更なる実施形態では、発光が少なくとも部分的に時計のダイヤルによって反射される。
【００３５】
[0035]更なる他の実施形態において、発光は、セキュリティ材料の１つ以上の減衰時間と発光の時間依存性とを決定するべく測定される。
【００３６】
[0036]更なる実施形態において、認証は、発光の時間依存性と、１つ以上の既知の基準減衰時間および１つ以上の発光時間依存性のうちの少なくとも一方とを比較するステップを更に備える。
【００３７】
[0037]更なる実施形態では、セキュリティ材料の励起光が所定の波長範囲を有する。
【００３８】
[0038]更なる他の実施形態では、所定の波長が赤外線範囲内で約９２５〜９９０ｎｍである。あるいは、所定の波長は、電磁スペクトルの紫外線範囲内で２００ｎｍ〜４００ｎｍであってもよい。
【００３９】
[0039]更なる他の実施形態では、時計が透明カバーを更に含み、方法は、透明カバーを通じて励起光を投射するステップを更に備える。
【００４０】
[0040]更なる実施形態において、方法は、時計の真正および時計の非真正のうちの一方を示す信号を発するステップを更に備える。信号は、視覚信号および音響信号のうちの少なくとも一方を備える。
【００４１】
[0041]更なる実施形態において、信号は、警報、保留信号、アラーム、および、通知のうちの少なくとも１つを備える。
【００４２】
[0042]本発明の実施形態の更なる態様は、時計の読み取りおよび認証のうちの少なくとも一方を行うためのシステムであって、時計が、ダイヤルと、時計に取り付けられるとともに上面とダイヤルに対向する下面とを有する少なくとも１つの時計針と、少なくとも１つの時計針の下面に配置されるセキュリティ材料とを備える、システムに関する。方法は、セキュリティ材料を励起させるために、所定の時間にわたってダイヤルでの反射によりセキュリティ材料に光を照射するための光源と、セキュリティ材料により放射される発光を測定するように構成される検出器とを備える。
【００４３】
[0043]実施形態において、セキュリティ材料は、発光特性を有する１つ以上の化合物を含有する媒体を含む。発光特性は、電磁スペクトルの赤外線（ＩＲ）範囲内または紫外線（ＵＶ）範囲内にあってもよい。
【００４４】
[0044]更なる実施形態では、発光が少なくとも部分的に時計のダイヤルによって反射される。
【００４５】
[0045]更なる実施形態において、発光は、セキュリティ材料の１つ以上の減衰時間と発光の時間依存性とを決定するべく照射後の２つ以上の異なる時間に測定される。
【００４６】
[0046]更なる実施形態において、システムは、発光の時間依存性と、１つ以上の既知の基準減衰時間および１つ以上の発光時間依存性のうちの少なくとも一方とを比較するように構成される比較器を更に備える。
【００４７】
[0047]本発明の実施形態の更なる態様は、コンピュータデバイスのプロセッサにより実行されると時計の測定および認証のうちの少なくとも一方を行うための方法をプロセッサに実行させる命令を記憶するためのコンピュータ可読媒体であって、時計が、ダイヤルと、時計に取り付けられるとともに上面とダイヤルに対向する下面とを有する少なくとも１つの時計針と、少なくとも１つの時計針の下面に配置されるセキュリティ材料とを備える、コンピュータ可読媒体に関する。方法は、セキュリティ材料を励起させるために、所定の時間にわたってダイヤルでの反射によりセキュリティ材料に光を照射するステップと、セキュリティ材料により放射される発光を測定するステップとを備える。実施形態において、セキュリティ材料は、発光特性を有する１つ以上の化合物を含有する媒体を含む。発光特性は、電磁スペクトルの赤外線（ＩＲ）範囲内または紫外線（ＵＶ）範囲内にあってもよい。
【００４８】
[0048]更なる他の実施形態では、発光が少なくとも部分的に時計のダイヤルによって反射される。
【００４９】
[0049]更なる実施形態において、発光は、セキュリティ材料の１つ以上の減衰時間と発光の時間依存性とを決定するべく照射後の２つ以上の異なる時間に測定される。
【００５０】
[0050]更なる実施形態において、方法は、発光の時間依存性と、１つ以上の既知の基準減衰時間および１つ以上の発光時間依存性のうちの少なくとも一方とを比較するステップを更に備える。
【００５１】
[0051]本発明の実施形態の更なる態様は、時計のための時計針であって、上面、および、時計のダイヤルと対向するように構築及び配置される下面と、時計針の下面に配置されるセキュリティ材料とを備える時計のための時計針に関する。実施形態において、セキュリティ材料は、電磁スペクトルの赤外線（ＩＲ）範囲内または紫外線（ＵＶ）範囲内にあってもよい発光特性を有する１つ以上の化合物を含有する媒体を含む。
【００５２】
[0052]本発明の実施形態の更なる態様は、時計であって、ダイヤルと、時計に取り付けられるとともに上面とダイヤルと対向する下面とを有する少なくとも１つの時計針と、少なくとも１つの時計針の下面に配置されるセキュリティ材料とを備える時計に関する。セキュリティ材料は、電磁スペクトルの赤外線（ＩＲ）範囲内に発光特性を有する１つ以上の化合物を含有する媒体を含み、セキュリティ材料が１つ以上の検出可能な減衰時間特性を有する。電磁スペクトルのＩＲ範囲は約８００〜１５００ｎｍである。１つ以上の化合物は、全組成に対して重量で１％〜２０％の濃度を有してセキュリティ材料中に存在する。１つ以上の化合物は、ランタニド誘導体のグループのうちの１つ以上から選択される。１つ以上の化合物の減衰時間は約５０μｓ〜１０ｍｓである。ダイヤルは、電磁スペクトルのＩＲ範囲内に反射特性を備える。反射特性は、７５０ｎｍ〜１５００ｎｍの範囲の少なくとも一部に１０％を超える反射率を備える。
【００５３】
[0053]更なる実施形態では、少なくとも１つの時計針が２つの時計針を備え、２つの時計針は、異なる発光特性を有する異なるセキュリティ材料を備える。
【００５４】
[0054]更なる実施形態において、励起光および／または放射光の少なくとも一部は、１つ以上の部分的に透明または半透明の時計針のうちの少なくとも１つを通過する。
【００５５】
[0055]更なる他の実施形態では、励起光および／または放射光の少なくとも一部が１つ以上の穴のうちの少なくとも１つを通過する。
【００５６】
[0056]更なる実施形態において、信号は、視覚信号および音響信号のうちの少なくとも一方を備える。
【００５７】
[0057]本発明、ならびに、本発明の他の目的および更なる特徴のより完全な理解のため、以下の例示的で非限定的な図面と併せて本発明の以下の詳細な説明を参照しなければならない場合がある。
【図面の簡単な説明】
【００５８】
【図１】本発明の態様に係る時計の概略平面図および概略断面図である。
【図２】本発明の態様に係るセキュリティ材料の励起を示す時計の概略平面図および概略断面図である。
【図３】本発明の態様に係るセキュリティ材料の発光を示す時計の概略平面図および概略断面図である。
【図４】本発明の態様に係る、セキュリティ材料を有する時計、および、セキュリティ材料の励起をもたらすとともにセキュリティ材料の発光を測定するように構成される検出システムの概略断面図である。
【図５】本発明の態様に係る時計の概略断面図である。
【図６】本発明の実施形態に係るプロセスを管理するための例示的な環境を示す。
【図７】本発明の実施形態の態様を実行するための例示的なフローを示す。
【図８】本発明の実施形態の態様を実行するための例示的なフローを示す。
【図９】本発明の態様に係る、その一方の面上にランタニド誘導体を含有する媒体を有する時計針から測定された例示的な減衰時間曲線を示す。
【発明を実施するための形態】
【００５９】
[0066]参照数字は、図面の様々な図の全体にわたって本発明の同じ、あるいは同等の部分を示す。
【００６０】
[0067]以下の説明では、同封された図面に関して、本発明の様々な実施形態について述べる。
【００６１】
[0068]本明細書中に示される事項は、一例であって、単に本発明の実施形態の例示的な議論を目的としているにすぎず、本発明の原理および概念的態様の最も有用で容易に理解される説明であると考えられるものを提供するために与えられる。この点で、本発明の根本的な理解のために必要な本発明の構造細部をより詳しく示そうとしておらず、説明は、本発明の形態を実際にどのように具現化できるのかを当業者に明らかにする図面と共に解釈される。言うまでもなく、例示的な図は、本発明の態様をより明確に示すべく原寸に比例して描かれない。
【００６２】
[0069]本明細書中で使用される単数形「１つの（a）」、「１つの（an）」、および、「その（the）」は、文脈が別段明確に述べなければ、複数の言及を含む。例えば、「１つの磁性材料」への言及は、明確に排除されなければ、１つ以上の磁性材料の混合物が存在し得ることも意味する。
【００６３】
[0070]発光とは、光を用いた励起時にセキュリティ材料３５により発せられるリン光および／または蛍光を意図する。
励起光がＯＦＦに切り換えられた後、特定の時間にわたって光の放射が続く。１つ以上の所定の波長範囲内の発光強度Ｉ（ｔ）の時間依存性は、真正確認目的および／または識別目的のために使用され得るセキュリティ材料の特性（本明細書中では、減衰時間特性と称される）である。発光強度は、以下の簡単な指数関数的減衰法則に従ってもよく、
【数１】
0005987179.tif 000002
あるいは、発光強度は、双指数関数減衰または多次指数関数的減衰、べき法則などのより複雑な形を有してもよい。
発光強度から、例えばよりコンパクトな表示を有する目的のために、多くの他の特性を得ることができる。特に、平均蛍光寿命は以下の通りである。
【数２】
0005987179.tif 000003
（１）の場合と同様に、Ｉ（ｔ）が簡単な指数関数であれば、
【数３】
0005987179.tif 000004
であることに留意すべきである。
減衰時間：正規化強度Ｉ（ｔ）／Ｉ０が所定値αから所定値βまで低下するための時間。典型的な値は、α＝０．９（９０％）およびβ＝０．１（１０％）であってもよい。
半減期：強度Ｉ（ｔ）がその初期値Ｉ０からその値の半分（Ｉ０／２）まで低下するための時間。
発光強度が測定されると、検出器における発光の強度は、それに比例する信号Ｓ（ｔ）へ変換される。この信号は減衰時間曲線または減衰プロファイルと称される。この信号は、アナログ信号（例えば電圧）またはそのデジタル表示であってもよく、また、更に処理され、変換され、および／または、記憶されてもよい。
【００６４】
[0071]セキュリティ材料とは、発光材料、ＵＶ吸収体、および、ＩＲ吸収体から成るグループから選択される少なくとも１つのセキュリティ素子であると理解されなければならず、セキュリティ素子の特定の性質および割合は、マークされた項目をその発光スペクトルおよび／または吸収スペクトルの特性を検出することによって物質的に真正確認できるようにする。
【００６５】
[0072]別段に示唆された場合を除き、本明細書中および特許請求の範囲で使用される原材料の量、反応条件などを表す全ての数値は、全ての場合に、用語「約」によって変更されると理解されるべきである。したがって、反対のことが示唆されなければ、本明細書中および特許請求の範囲に記載される数値パラメータは、本発明によって得られるようとする所望の特性に応じて変化し得る近似値である。最低限でも、特許請求の範囲に対する均等論の適用を制限しようとする試みと見なされないように、それぞれの数値パラメータは、有効数字の数および通常の丸めの取り決めに照らして解釈されるべきである。
【００６６】
[0073]また、この明細書中の数値範囲の列挙は、その範囲内の全ての数値および数値範囲の開示であると見なされる。例えば、ある範囲が約１〜約５０であれば、例えば１，７，３４，４６．１，２３．７、あるいは、その範囲内の任意の他の値または範囲を含むと見なされる。
【００６７】
[0074]本明細書中に開示される様々な実施形態は、明確に反対のことが述べられなければ、別個に使用され得るとともに、様々な組み合わせで使用され得る。
【００６８】
[0075]腕時計などの時計は、ケースと、ダイヤルと、１つ以上の時計針と、カバー（例えば、ガラスまたはコランダムの層）とを備える。図１は、本発明の態様に係る例示的な時計１０の概略平面図および概略断面図である。言うまでもなく、例示的な図は、本発明の態様をより明確に示すべく原寸に比例して描かれない。
【００６９】
[0076]図１に示されるように、時計（例えば腕時計）１０は、ケース１５と、ダイヤル２０と、１つ以上の時計針２５と、カバー３０とを備える。本発明の態様によれば、時計針２５のうちの少なくとも１つがその背面（すなわち、ダイヤル２０と対向する面）にセキュリティ材料３５の層を含む。特定の実施形態において、セキュリティ材料３５は、例えば電磁スペクトルのＩＲ範囲内に減衰時間特性を伴う発光（例えば、蛍光および／またはリン光）特性を有する１つ以上の化合物を含有する媒体を備える。
【００７０】
[0077]本発明の態様によれば、セキュリティ材料３５は、それが腕時計１０の外観に影響を与えないように１つ以上の時計針２５の背面上に配置される。幾つかの実施形態では、１つ以上の時計針２５のうちの少なくとも１つが穴を含んでもよい。本発明の態様によれば、１つ以上の時計針２５の穴は、励起光および放射光の両方をより効果的に透過できるようにしてもよい。
【００７１】
[0078]本発明の実施形態によれば、腕時計が照明光源に晒されるとともに、セキュリティ材料の発光が１回または幾つかの間隔にわたって測定される。実施形態において、セキュリティ材料の発光は、約７００〜１６００ｎｍ、好ましくは約９００〜１１００ｎｍ、より好ましくは約９２５〜９９０ｎｍの電磁スペクトルのＩＲ範囲内にある。１つ以上の化合物の減衰時間は、例えば、約３０μｓ〜１０ｍｓであってもよい。実施形態において、間隔は、発光を測定するための時間間隔（例えば１〜１０ｍｓ）であってもよく、あるいは、スペクトル間隔（例えば７００〜１０００ｎｍ）であってもよい。
【００７２】
[0079]本発明の態様を実施することによって、腕時計は、該腕時計の時計針上のセキュリティ材料の１つ以上の発光特性の特定の特徴の解析および測定によって（例えば、製造元および型により）更に真正確認されおよび／または一意的に識別され得る。解析および測定は、例えば、腕時計の製造中または製造後に行われてもよい。実施形態では、セキュリティ材料のこれらの特定の特徴（または、例えば特定の特徴の数値表示）を識別番号（例えばシリアルナンバー）と共に記憶システム（例えばデータベース）に記憶することができる。その後、セキュリティ材料の特定の特徴の解析および測定を行うとともに、測定結果と記憶システムに既に記憶される結果とを比較することにより、腕時計の真正を確認できる。測定結果が既に記憶された識別情報（または、腕時計の識別番号と関連付けられる既に記憶された識別情報）と適合する場合には、腕時計が真正であると見なされる。
【００７３】
[0080]図１の例示的な実施形態は、１つの時計針２５の背面の一部上のセキュリティ材料３５を例示するが、実施形態では、セキュリティ材料３５が複数の時計針２５（例えば、分針、時針、および／または、秒針）上に配置されてもよい。幾つかの実施形態では、それぞれの時計針上のセキュリティ材料が異なってもよい。特定の実施形態では、セキュリティ材料３５が時計針２５の下面全体上に配置されてもよい。放射光の強度はセキュリティ材料３５の量に比例するため、時計針の下面全体をセキュリティ材料３５で覆って、セキュリティ材料３５により発せられる光の検出能を高めることが有益な場合がある。しかしながら、本発明は、幾つかの実施形態においてセキュリティ材料３５が時計針２５の下面全体に満たない範囲にわたって（例えば、１つ以上の別個の部分として）配置されてもよいことを目論む。
【００７４】
[0081]特定の考えられる実施形態において、セキュリティ材料３５は、例えばそれぞれが複数の発光波長帯域をもたらすように構成される複数の別個のおよび／または重なり合う部分を含んでもよい。更なる実施形態に関しては、２つの材料が単一層の状態で混合されてもよく、あるいは部分的に混合されてもよい。
【００７５】
[0082]更なる実施形態において、時計針２５のうちの１つ以上は、審美的なおよび／または機能的な目的で、時計針２５の上面（すなわち、外側に面する側）に発光材料を含んでもよい。そのような実施形態に関して、上面の発光材料の組成は、時計針の上面および下面の発光特性を互いから区別できるようにセキュリティ材料の１つ以上の組成とは異なってもよい。他の考えられる実施形態に関して、上面の発光材料の組成は、セキュリティ材料の１つ以上の組成と同じであってもよいが、例えば、時計針の上面および下面の発光特性を互いから区別できるように、時計針上の異なる相対的な径方向位置に配置されてもよい。実施形態では、時計針の上面の発光材料が目に見えなくてもよい。他の考えられる実施形態において、時計針の上面の発光材料は、それが任意の所定の美的基準を順守する限り、目に見えてもよい。
【００７６】
[0083]カバー３０は、例えば、ガラスまたはコランダムの層、あるいは、他の十分に透明な材料であってもよい。幾つかの考えられる実施形態において、カバー３０は、例えば励起光および／または放射光の１つ以上の成分を濾波するためのフィルタとして構成されてもよい。実施形態において、フィルタとして構成されるカバー３０は、カバー材料自体のフィルタリング特性および／またはカバー３０よりも上側および／または下側に配置されるフィルタリング特性を有する更なる層を含む。幾つかの実施形態では、カバー３０の全領域がフィルタとして構成されてもよい。他の考えられる実施形態では、全領域に満たないカバー３０の部分がフィルタとして構成されてもよい。
【００７７】
[0084]図２は、本発明の態様に係るセキュリティ材料３５の励起を示す時計１０の概略平面図および概略断面図を示す。図２に示されるように、励起光源２００が、時計１０の方へ向けられて、ダイヤル２０（白色または明るい色のダイヤル）またはダイヤル２０の一部から反射される。反射光２０５は、時計針２５の背面上に配置されるセキュリティ材料３５に衝突してセキュリティ材料３５を励起する。
【００７８】
[0085]図３は、本発明の態様に係るセキュリティ材料３５の発光を示す時計１０の概略平面図および概略断面図である。図３に示されるように、セキュリティ材料３５の励起時、セキュリティ材料３５が発光または放射光３００（例えば、蛍光またはリン光）を生み出す。放射光３００がダイヤル２０に向けられて、反射発光３０５が少なくとも部分的にダイヤル２０から反射されて観察者へ向けて外側に方向付けられる。
【００７９】
[0086]図１〜図３に示される例示的な実施形態は、セキュリティ材料３５へ向かう、およびセキュリティ材料３５から離れる励起光および放射光をそれぞれ反射するためにダイヤル２０を利用するが、本発明は、他の表面が反射面を与えてもよいことを目論む。例えば、セキュリティ材料がその下面に配置される時計針の下に配置される時計針の上面が、励起光および放射光のための反射面を与えてもよい。更なる考えられる実施形態に関して、ダイヤル上の数字（および／または時間マーカー）は、励起光および放射光のための反射面を与えてもよい。
【００８０】
[0087]図４は、本発明の態様に係る、セキュリティ材料３５を有する時計１０、および、セキュリティ材料の励起をもたらすとともにセキュリティ材料の発光を測定するように構成される例示的な検出システム４００の概略断面図を示す。図４に示されるように、検出システム４００は、励起光４２０（破線で表わされる）を生成するように構成される光源４０５を含む。光源４０５は、所定の波長（または、波長の範囲）を有する励起光４２０を生成するために１つ以上のフィルタを含んでもよい。図４に示されるように、検出システム４００は、励起光４２０を時計１０のダイヤル２０上へ合焦させるように構築及び配置されるレンズ４１５も含む。前述したように、励起光４２０は、ダイヤル２０から反射されて、時計針２５の背面上に配置されるセキュリティ材料３５に衝突する。
【００８１】
[0088]本発明の態様によれば、励起時に、セキュリティ材料３５（例えば、蛍光材料またはリン光材料）が放射光４２５（実線で表わされる）を発する。前述したように、励起光４２５は、ダイヤル２０から反射されて、時計１０から離れるように外側に方向付けられる。レンズ４１５（または、実施形態では、他のレンズ）は、放射光４２５を検出デバイス４１０へ向けて合焦させるように構築（あるいは構成）及び配置される。実施形態において、検出デバイス４１０（または、リーダー）は、例えば、他の考えられる検出デバイスのうちで、固定デバイス、手持ち式のデバイス、携帯電話、および／または、カメラを備えてもよい。検出デバイス４１０は、放射光４２５の所定の波長（または、波長の範囲）のみを検出するために１つ以上のフィルタを含んでもよい。
【００８２】
[0089]例示的で非限定的な実施形態に関しては、所定の期間Ｔexec中に、腕時計のセキュリティ材料へ励起光を与えるべく照明源が作動される。時間ΔＴの経過後、セキュリティ材料の発光がＴdet中にリーダーにより検出されて測定される。本発明の幾つかの実施形態に関しては、セキュリティ材料の減衰特性を検出する際に発光閾値が使用されてもよい。更なる実施形態では、セキュリティ材料の特性を識別するために、セキュリティ材料の発光半減期が検出されて測定される。
【００８３】
[0090]本発明の態様によれば、セキュリティ材料の発光は、幾つかの間隔で検出されて測定されてもよい。幾つかの間隔とは、同じ、あるいは異なってもよい（例えば、セキュリティ材料発光の複数の異なる成分が、同じ時間間隔中に測定され、すなわち、同時に測定され、あるいは、異なる時間間隔中に測定され、すなわち、順次に測定される）、重なり合ってもよい、あるいは重なり合わなくてもよい、同じ継続時間または異なる継続時間を有してもよい、一定の間隔を隔ててもよい、あるいは隔てなくてもよい２つ以上の時間間隔であって、その間に発光が測定される２つ以上の時間間隔を意図する。
【００８４】
[0091]例示的で非限定的な検出および測定に関して、セキュリティ材料の発光は、減衰プロファイルを決定するために、ΔＴ＝０からΔ＝４ｍｓまでの継続時間において例えば０．０３ｍｓの異なる間隔で測定される。実施形態において、発光を測定することは、発光のスペクトル特性（強度および／または波長）を決定すること、および／または、発光の寿命（減衰時間とも呼ばれる）を決定することを含む。
【００８５】
[0092]図５は、本発明の更なる態様に係る例示的な時計５０の概略断面図を示す。幾つかの時計は、十分に反射する特性（例えば、白色、または、より明るい色）を有するダイヤル２０を含むが、図５に示されるように、本発明は、幾つかのダイヤル５２０の色が黒または更に暗く、それにより、これらのダイヤルが殆ど反射しないことを目論む。本発明の態様によれば、特定の実施形態は、励起光および放射光の両方がそれぞれセキュリティ材料３５へ向けて、およびセキュリティ材料３５から離れて反射されるようにダイヤル５２０上に配置される反射層５０５を含んでもよい。反射層５０５は、ＩＲ帯域内で十分に反射してもよいが、時計５００の外観に影響を与えないように依然として肉眼（または裸眼）で見えないままである。実施形態において、反射層５０５は、他の考えられる材料のうちで、例えば、インジウムスズ酸化物（ＩＴＯ）、干渉顔料、誘電体多層コーティング、および／または、コレステリック液晶コーティングなどの１つ以上の反射材料を含んでもよい。更なる考えられる実施形態では、別個の反射層５０５ではなく、ダイヤル５２０（例えば、より暗いダイヤル）が、該ダイヤル５２０の反射率を（例えば、ＩＲ帯域内で）高めるように構成される１つ以上の材料を内部に埋め込んで含んでもよい。特定の実施形態において、埋め込まれた材料は、可視域内でほぼ透明のままでなければならず、そのため、人の肉眼で実質的に見えてはならない。しかしながら、本発明は、埋め込まれた材料が人の肉眼で見えてもよい他の実施形態を目論む。
【００８６】
[0093]例示的な反射層５０５がダイヤル５２０の全体を覆うように示されるが、本発明は、反射層５０５がダイヤル５２０の全体に満たない範囲で配置されてもよいことを目論む。
【００８７】
[0094]本発明の態様によれば、時計１０の１つ以上の時計針２０は、サインを時計に与えるべくセキュリティ材料３５の１つ以上の層を含んでもよい。考えられる実施形態において、サインは、特定の時計に固有のものであってもよく、あるいは、時計の特定の製造元および型に固有のものであってもよい。製造時に、時計のサイン（例えば、セキュリティ材料３５の１つ以上の減衰時間を含む減衰プロファイル）が測定されて記憶システム（例えばデータベース）に記憶されてもよい。その後、時計１０を認証する、あるいは真正確認するために、時計１０のサイン（例えば、減衰プロファイル）が、例えば前述した例示的な検出システムを使用して測定されてもよく、また、時計１０の真正を決定するためにデータベース内の記憶されたサイン（例えば、記憶された減衰プロファイル）と比較されてもよい。
【００８８】
[0095]特定の時計の前述した測定値は、経時的に変化してはならない（すなわち、安定したままである）。例えば、腕時計の構成要素が触れられない、あるいは操作されない限り、特定の時計の前述した測定値は変化しない。無論、時計のメンテナンスに関しては（例えば、時計が開放されて時計針が交換されるとき）、前述した測定値に影響が及ぼされてもよい。したがって、時計メンテナンスが行われるとき（例えば、時計が開放されるとき）には、時計が再認定されなければならない（例えば、時計のセキュリティ材料の減衰プロファイルが再取得されなければならず、また、前述した１つ以上の測定の結果が識別されて記憶されなければならない）。
システム環境
【００８９】
[0096]当業者により分かるように、本発明は、時計、システム、方法、または、コンピュータプログラムプロダクトとして具現化されてもよい。したがって、本発明は、完全にハードウェアの実施形態、完全にソフトウェアの実施形態（ファームウェア、常駐ソフトウェア、マイクロコードなどを含む）、または、全てが一般に本明細書中で「回路」、「モジュール」、または、「システム」と称されてもよいソフトウェア態様とハードウェア態様とを組み合わせた実施形態の形態を成してもよい。また、本発明は、コンピュータ使用可能プログラムコードが内部に具現化される任意の有形表現媒体で具現化されるコンピュータプログラムプロダクトの形態を成してもよい。
【００９０】
[0097]１つ以上のコンピュータ使用可能媒体またはコンピュータ可読媒体の任意の組み合わせが利用されてもよい。コンピュータ使用可能媒体またはコンピュータ可読媒体は、例えば、電子的な、磁気的な、光学的な、電磁的な、赤外線の、あるいは、半導体のシステム、装置、デバイス、または、伝搬媒体であってもよいが、これらに限定されない。コンピュータ可読媒体のより具体的な例（非包括的なリスト）は以下を含む。
−  １つ以上の配線を有する電気的な接続
−  ポータブルコンピュータディスケット
−  ハードディスク
−  ランダムアクセスメモリ（ＲＡＭ）
−  リードオンリーメモリ（ＲＯＭ）
−  消去可能プログラマブルリードオンリーメモリ（ＥＰＲＯＭまたはフラッシュメモリ）
−  光ファイバ
−  ポータブルコンパクトディスクリードオンリーメモリ（ＣＤＲＯＭ）
−  光学式記憶デバイス
−  インターネットまたはイントラネットをサポートする伝送媒体等のなどの伝送媒体
−  磁気記憶デバイス
−  ＵＳＢキー
−  証明書
−  有孔カード、および／または、
−  携帯電話
【００９１】
[0098]この文書の文脈において、コンピュータ使用可能媒体またはコンピュータ可読媒体は、命令実行システム、装置、または、デバイスによって使用するための、あるいは命令実行システム、装置、または、デバイスと接続するプログラムを含む、記憶する、通信する、伝搬する、または、輸送することができる任意の媒体であってもよい。コンピュータ使用可能媒体は、ベースバンドで、あるいは搬送波の一部として、コンピュータ使用可能プログラムコードが具現化される伝搬データ信号を含んでもよい。コンピュータ使用可能プログラムコードは、無線、有線、光ファイバケーブル、ＲＦ等を含むがこれらに限定されない任意の適した媒体を使用して送信されてもよい。
【００９２】
[0099]本発明の動作を行うためのコンピュータプログラムコードは、Java（登録商標）、Smalltalk、C++などのオブジェクト指向プログラミング言語、および、「Ｃ」プログラミング言語または同様のプログラミング言語などの従来の手続き型プログラミング言語を含む、１つ以上のプログラミング言語の任意の組み合わせで書き込まれてもよい。プログラムコードは、全体的にユーザのコンピュータで、部分的にユーザのコンピュータで、スタンドアロンソフトウェアパッケージとして、部分的にユーザのコンピュータで、かつ部分的に遠隔コンピュータで、または、全体的に遠隔コンピュータまたはサーバで実行してもよい。後者のシナリオでは、遠隔コンピュータが任意のタイプのネットワークを介してユーザのコンピュータに接続されてもよい。これは、例えば、ローカルエリアネットワーク（ＬＡＮ）または広域ネットワーク（ＷＡＮ）を含んでもよく、あるいは、接続が外部コンピュータに対して（例えば、インターネットサービスプロバイダを使用してインターネットを介して）なされてもよい。また、実施形態では、本発明がフィールドプログラマブルゲートアレイ（ＦＰＧＡ）で具現化されてもよい。
【００９３】
[0100]図６は、本発明に係るプロセスを管理するための例示的な環境１９００を示す。この点で、環境１９００は、本明細書中に記載されるプロセスを実行することができるサーバまたは他のコンピュータシステム１９０５を含む。特に、サーバ１９０５はコンピュータデバイス１９１０を含む。コンピュータデバイス１９１０は、第三者サービスプロバイダのネットワークインフラまたはコンピュータデバイス（そのうちのいずれかが一般に図６に表される）に常駐することができる。
【００９４】
[0101]実施形態において、コンピュータデバイス１９１０は、セキュリティ材料の１つ以上の検出された減衰時間を測定し、測定された情報と記憶された情報とを比較し、および、時計の真正、例えば本明細書中に記載されるプロセスを決定するようになっている、測定ツール１９４５、比較ツール１９７５、および、真正決定ツール１９８０を含み、例えば本明細書中に記載されるプロセスを含む。測定ツール１９４５、比較ツール１９７５、および、真正決定ツール１９８０は、別個のモジュールまたは組み合わせモジュールとしてメモリ１９２５Ａ内に記憶されるプログラム制御１９４０中の１つ以上のプログラムコードとして実装され得る。
【００９５】
[0102]コンピュータデバイス１９１０は、プロセッサ１９２０、メモリ１９２５Ａ、Ｉ／Ｏインタフェース１９３０、および、バス１９２６も含む。メモリ１９２５Ａは、プログラムコードの実際の実行中に使用されるローカルメモリと、大容量記憶装置と、実行中に大容量記憶装置から取り出されなければならないタイムコードの数を減らすために少なくとも何らかのプログラムコードの一時的な記憶を行うキャッシュメモリとを含むことができる。また、コンピュータデバイスは、ランダムアクセスメモリ（ＲＡＭ）、リードオンリーメモリ（ＲＯＭ）、および、オペレーティングシステム（Ｏ／Ｓ）を含む。
【００９６】
[0103]コンピュータデバイス１９１０は、外部Ｉ／Ｏデバイス／リソース１９３５および記憶システム１９２５Ｂと通信する。例えば、Ｉ／Ｏデバイス１９３５は、個人がコンピュータデバイス１９１０と情報をやりとりできるようにする任意のデバイス、または、コンピュータデバイス１９１０が任意のタイプの通信リンクを使用して１つ以上の他のコンピュータデバイスと通信できるようにする任意のデバイスを備えることができる。外部Ｉ／Ｏデバイス／リソース１９３５は、例えば、手持ち式デバイス、ＰＤＡ、ハンドセット、キーボード、スマートフォン等であってもよい。また、本発明の態様によれば、環境１９００は、１つ以上の時計からセキュリティ材料の１つ以上の減衰時間を測定するための測定デバイス４００を含む。
【００９７】
[0104]一般に、プロセッサ１９２０は、メモリ１９２５Ａおよび／または記憶システム１９２５Ｂに記憶され得るコンピュータプログラムコード（例えば、プログラム制御１９４０）を実行する。また、本発明の態様によれば、プログラムコードを有するプログラム制御１９４０は、測定ツール１９４５、比較ツール１９７５、および、真正決定ツール１９８０を制御する。プロセッサ１９２０は、コンピュータプログラムコードを実行しつつ、メモリ１９２５Ａ、記憶システム１９２５Ｂ、および／または、Ｉ／Ｏインタフェース１９３０に対して／からデータを読み取る、および／または書き込むことができる。プログラムコードは本発明のプロセスを実行する。バス１９２６は、コンピュータデバイス１９１０内の各構成要素間の通信リンクを与える。
【００９８】
[0105]コンピュータデバイス１９１０は、これにインストールされたコンピュータプログラムコードを実行できる任意の汎用コンピュータ製造品（例えば、パーソナルコンピュータ、サーバなど）を備えることができる。しかしながら、コンピュータデバイス１９１０が本明細書中に記載されるプロセスを実行してもよい様々な想定し得るコンピュータデバイス同等物を単に表しているにすぎないことが理解される。この点で、実施形態において、コンピュータデバイス１９１０により与えられる機能性は、汎用および／または特殊用途ハードウェアおよび／またはコンピュータプログラムコードの任意の組み合わせを含むコンピュータ製造品によって実施され得る。それぞれの実施形態において、プログラムコードおよびハードウェアは、標準的なプログラミング技術およびエンジニアリング技術をそれぞれ使用して形成され得る。
【００９９】
[0106]同様に、コンピュータインフラ１９０５は、本発明を実施するための様々なタイプのコンピュータインフラの単なる例示にすぎない。例えば、実施形態において、サーバ１９０５は、本明細書中に記載されるプロセスを実行するために、ネットワーク、共有メモリ、または、同様のもの等の任意のタイプの通信リンクにわたって通信する２つ以上のコンピュータデバイス（例えばサーバクラスタ）を備える。また、本明細書中に記載されるプロセスを実行する間、サーバ１９０５上の１つ以上のコンピュータデバイスは、任意のタイプの通信リンクを使用してサーバ１９０５の外部の１つ以上の他のコンピュータデバイスと通信できる。通信リンクは、有線リンクおよび／または無線リンクの任意の組み合わせ、１つ以上のタイプのネットワーク（例えば、インターネット、広域ネットワーク、ローカルエリアネットワーク、仮想プライベートネットワークなど）の任意の組み合わせを備えることができ、および／または、送信技術および送信プロトコルの任意の組み合わせを利用できる。
フロー図
【０１００】
[0107]図７および図８は、本発明の態様を実行するための例示的なフローを示す。図７および図８のステップは、例えば図６の環境で実施されてもよい。フロー図は、同様に、本発明の実施形態の高レベルブロック図を表してもよい。図７および図８におけるフローチャートおよび／またはブロック図は、本発明の様々な実施形態に係るシステム、方法、および、コンピュータプログラムプロダクトの想定し得る実施のアーキテクチャ、機能性、および、動作を示す。これに関し、フローチャート中またはブロック図中の各ブロックは、特定の論理機能を実施するための１つ以上の実行可能命令を備えるモジュール、セグメント、または、コードの一部を表してもよい。幾つかの別の実施では、ブロックにおいて言及される機能が図中に記される順序から逸脱して行われてもよいことに留意すべきである。例えば、関与する機能性に応じて、連続して示される２つのブロックが実際にはほぼ同時に実行されてもよく、あるいは、ブロックが時として逆の順序で実行されてもよい。各フローチャートの各ブロック、および、フローチャート図の組み合わせは、前述したように、特定の機能または行為を実行する特殊用途ハードウェアベースシステムによって、あるいは、特殊用途ハードウェアとコンピュータ命令および／またはソフトウェアとの組み合わせによって実施され得る。また、フロー図のステップは、クライアントサーバ関係では、サーバから実施されて実行されてもよく、あるいは、ユーザワークステーションへ伝えられる動作情報を用いてユーザワークステーションで実行してもよい。一実施形態において、ソフトウェア要素は、ファームウェア、常駐ソフトウェア、マイクロコード等を含む。
【０１０１】
[0108]また、本発明は、コンピュータまたは任意の命令実行システムによって使用するための、あるいはコンピュータまたは任意の命令実行システムと接続するプログラムコードを与えるコンピュータ使用可能媒体またはコンピュータ可読媒体からアクセスできるコンピュータプログラムプロダクトの形態を成すことができる。ソフトウェアおよび／またはコンピュータプログラムプロダクトを図６の環境内で実施することができる。この説明の目的のため、コンピュータ使用可能媒体またはコンピュータ可読媒体は、命令実行システム、装置、または、デバイスによって使用するための、あるいは命令実行システム、装置、または、デバイスと接続するプログラムを含む、記憶する、通信する、伝搬する、または、輸送することができる任意の装置であってもよい。媒体は、電子的な、磁気的な、光学的な、電磁的な、赤外線の、あるいは、半導体のシステム（または、装置またはデバイス）または伝搬媒体であってもよい。コンピュータ可読記憶媒体の例としては、半導体メモリまたは固体メモリ、磁気テープ、除去可能なコンピュータディスケット、ランダムアクセスメモリ（ＲＡＭ）、リードオンリーメモリ（ＲＯＭ）、硬質の磁気ディスクおよび光ディスクが挙げられる。光ディスクの現在の例としては、コンパクトディスク−リードオンリーメモリ（ＣＤ−ＲＯＭ）、コンパクトディスク−リード／ライト（ＣＤ−Ｒ／Ｗ）、および、ＤＶＤが挙げられる。
【０１０２】
[0109]図７は、時計のための識別コードを形成して記憶する例示的なフロー２０００を示す。ステップ２００５において、測定ツールは、セキュリティ材料の減衰プロファイル（例えば、１つ以上の減衰時間）を測定する。ステップ２０２０において、識別ツールは、減衰プロファイル（例えば、セキュリティ材料の１つ以上の減衰時間）を例えば時計のための識別コードとして記憶システムに、例えばデータベースに記憶する。
【０１０３】
[0110]図８は、時計の真正確認および／または識別のための例示的なフロー２１００を示す。図８に示されるように、ステップ２１０５において、測定ツールは、減衰プロファイルを決定するためにセキュリティ材料の１つ以上の減衰時間を測定する。ステップ２１２０において、比較ツールは、測定された減衰プロファイルと１つ以上の記憶された減衰プロファイルとを比較する。ステップ２１２５において、真正決定ツールは、測定された減衰プロファイルが記憶された減衰プロファイルと適合するかどうかを決定する。ステップ２１２５において、測定された減衰プロファイルが記憶された識別コード（例えば、セキュリティ材料の記憶された減衰プロファイル）に適合すると真正決定ツールが決定すれば、ステップ２１３０において、時計が真正であると決定される。ステップ２１２５において、測定された減衰プロファイルが記憶された減衰プロファイルに適合しないと真正決定ツールが決定すれば、ステップ２１３５において、時計が真正でないと決定される。
【０１０４】
[0111]図９は、本発明の態様に係る、その一方の面上にランタニド誘導体を含有する媒体を有する時計針から測定された例示的な減衰時間曲線９００を示す。図９の例示的なプロットに関して、減衰時間曲線９００は、相対発光強度（例えば、１に正規化された発光）対時間（ミリ秒）としてプロットされる。幾つかの実施形態において、減衰時間曲線の測定は、本発明の態様にしたがってセキュリティ材料によって放射されて時計のダイヤルによって反射される発光を測定するために、例えば前述したような測定デバイスを使用することによって得られる。図９に示されるように、時計の相対発光は、測定可能で、かつ再現可能な態様で減衰し、それにより、測定される発光減衰は、時計のための識別子（例えば、固有の識別子）としての機能を果たすことができる。
【０１０５】
[0112]特定の実施形態に関連して本発明を説明してきたが、当業者であれば分かるように、発明の真の思想および範囲から逸脱することなく、様々な変更が行われても良く、また、等価物が本発明の要素と置き換えられてもよい。また、発明の本質的教示内容から逸脱することなく、改変がなされてもよい。
【図１】
0005987179.tif 000005
【図２】
0005987179.tif 000006
【図３】
0005987179.tif 000007
【図４】
0005987179.tif 000008
【図５】
0005987179.tif 000009
【図６】
0005987179.tif 000010
【図７】
0005987179.tif 000011
【図８】
0005987179.tif 000012
【図９】
0005987179.tif 000013